(57)【要約】【課題】拘束力を有し、優れた筋肉トレーニング効果を有するトレーニングガードルを提供する。【解決手段】ガードル本体１０、二つの前束帯２０、二つの後束帯、第一左帯体４０、第二左帯体５０、第一右帯体６０及び第二右帯体７０を備える。ガードル本体１０は、腰部１１、腰部１１に接続されている寛骨部１２、ならびに、寛骨部１２の腰部１１とは反対側に接続されている左腿部１３および右腿部１４を有する。左腿部１３および右腿部１４は、寛骨部１２から下側に延伸している。腰部１１は上縁１１１を有する。左腿部１３および右腿部１４はそれぞれ底縁１３１、１４１を有する。ガードル本体１０は、前面１０１及び後面１０２を有する。前面１０１と後面１０２とは、ガードル本体１０の左端および右端で接続されている。【選択図】図１
0003186056.tif 000002
【実用新案登録請求の範囲】
【請求項１】
ガードル本体、二つの前束帯、二つの後束帯、第一左束帯、第二左束帯、第一右束帯、及び、第二右束帯を備え、
前記ガードル本体は、筒状に形成され、前面、後面、ならびに、前記前面と前記後面との間に位置する左端および右端を有し、上下方向において、腰部、当該腰部に接続している寛骨部、ならびに、当該寛骨部の前記腰部とは反対側に接続されている左腿部及び右腿部を有し、前記腰部に上縁が形成されており、前記左腿部および右腿部に底縁が形成されており、
二つの前記前束帯は、拘束力を有し、前記ガードル本体の前記前面において、前記腰部の前記上縁の中央と前記左端および前記右端との間の第一位置および第二位置から前記左腿部の前記底縁の中央に位置する第三位置および前記右腿部の前記底縁の中央に位置する第四位置まで延設されており、
二つの前記後束帯は、拘束力を有し、前記ガードル本体の前記後面において、前記腰部の前記上縁の中央と前記左端および前記右端との間の第五位置および第六位置から前記左腿部の前記底縁の中央に位置する第七位置および前記右腿部の前記底縁の中央に位置する第八位置まで延設されており、
前記第一左束帯は、前記腰部の前記左端から、前記ガードル本体の前記前面、前記寛骨部の前記右端、および前記ガードル本体の前記後面の順で前記右腿部の内側まで延設されており、拘束力を有し、
前記第二左束帯は、前記腰部の前記左端から、前記ガードル本体の前記後面、前記寛骨部の前記右端、および、前記ガードル本体の前記前面の順で前記右腿部の内側まで延設されており、拘束力を有し、
前記第一右束帯は、前記腰部の前記右端から、前記ガードル本体の前記前面、前記寛骨部の前記左端、および、前記ガードル本体の前記後面の順で前記左腿部の内側まで延設されており、拘束力を有し、
前記第二右束帯は、前記腰部の前記右端から、前記ガードル本体の前記後面、前記寛骨部の前記左端、および、前記ガードル本体の前記前面の順で前記左腿部の内側まで延設されており、拘束力を有することを特徴とするトレーニングガードル。
【請求項２】
前記前束帯および前記後束帯は、前記第一左束帯、前記第二左束帯、前記第一右束帯、および、前記第二右束帯の拘束力より大きい拘束力を有することを特徴とする請求項１記載のトレーニングガードル。
【請求項３】
前記ガードル本体は、拘束力のない材料から形成されていることを特徴とする請求項１記載のトレーニングガードル。
【請求項４】
前記ガードル本体は、前記前束帯および前記後束帯の拘束力より小さい拘束力を有することを特徴とする請求項１記載のトレーニングガードル。
【考案の詳細な説明】
【技術分野】
【０００１】
本考案は、ズボンに関し、特に、拘束力を有するトレーニングガードルに関する。
【背景技術】
【０００２】
現在、拘束力を有する多くのガードルが知られている。人体の一部の筋肉や脂肪を特定の部位に集中させることにより、シェイプアップの目的を達成することができる。
【０００３】
例えば、特許文献１に記載のガードルは、ガードル本体に螺旋拘束帯が設けられており、ガードル本体の後面に他の拘束帯が設けられている。特許文献１に記載のガードルは、これらの拘束帯の拘束力により臀部を引き上げ太腿の外形を細くすることができる。
【先行技術文献】
【特許文献】
【０００４】
【特許文献１】台湾特許公開番号第Ｍ３２５７４１号明細書
【考案の概要】
【考案が解決しようとする課題】
【０００５】
従来のガードルは、着用者が運動をしていないときに着用するものである。着用者は、ガードルの拘束力により受動的にシェイプアップされ、臀部を持ち上げる効果を有する。また、拘束帯はいずれも臀部の周囲に設けられている。
【０００６】
受動的なシェイクアップ以外にも、運動時に着用可能なガードル、および、減衰力を有するガードルが求められている。しかし、従来のガードルは、トレーニング時に着用しても、筋肉トレーニングの効果を得ることができない。特に、従来の拘束帯は臀部を囲繞するので、大腿四頭筋及び大腿二頭筋等の筋肉をトレーニングすることができない。
【課題を解決するための手段】
【０００７】
本考案の目的は、拘束力を有し、優れた筋肉トレーニング効果を有するトレーニングガードルを提供することにある。
【０００８】
本考案のトレーニングガードルは、ガードル本体、二つの前束帯、二つの後束帯、第一左束帯、第二左束帯、第一右束帯、及び、第二右束帯を備える。
ガードル本体は、筒状に形成され、前面、後面、ならびに、前面と後面との間に位置する左端および右端を有し、上下方向において、腰部、腰部に接続している寛骨部、ならびに、寛骨部の腰部とは反対側に接続されている左腿部及び右腿部を有し、腰部に上縁が形成されており、左腿部および右腿部に底縁が形成されている。
二つの前束帯は、拘束力を有し、ガードル本体の前面において、腰部の上縁の中央と左端および右端との間の第一位置および第二位置から左腿部の底縁の中央に位置する第三位置および右腿部の底縁の中央に位置する第四位置まで延設されている。
二つの後束帯は、拘束力を有し、ガードル本体の後面において、腰部の上縁の中央と左端および右端との間の第五位置および第六位置から左腿部の底縁の中央に位置する第七位置および右腿部の底縁の中央に位置する第八位置まで延設されている。
第一左束帯は、腰部の左端から、ガードル本体の前面、寛骨部の右端、およびガードル本体の後面の順で右腿部の内側まで延設されており、拘束力を有する。
第二左束帯は、腰部の左端から、ガードル本体の後面、寛骨部の右端、および、ガードル本体の前面の順で右腿部の内側まで延設されており、拘束力を有する。
第一右束帯は、腰部の右端から、ガードル本体の前面、寛骨部の左端、および、ガードル本体の後面の順で左腿部の内側まで延設されており、拘束力を有する。
第二右束帯は、腰部の右端から、ガードル本体の後面、寛骨部の左端、および、ガードル本体の前面の順で左腿部の内側まで延設されており、拘束力を有する。
【０００９】
上述の束帯が設けられていることにより、本考案のトレーニングガードルは、着用者が運動を行う際、優れた筋肉トレーニングの効果を提供することができる。特に、前束帯および後束帯の配置方法により、着用者が腿あげ又はステップ動作を行うとき、大腿四頭筋及び大腿二頭筋に抗力を提供することで、筋肉トレーニングの効果を顕著に向上することができる。
【図面の簡単な説明】
【００１０】
【図１】本考案の一実施形態によるトレーニングガードルを示す斜視図である。
【図２】本考案の一実施形態によるトレーニングガードルを示す背面図である。
【図３】本考案の一実施形態によるトレーニングガードルを示す側面図である。
【図４】本考案の一実施形態によるトレーニングガードルの着用状態を示す模式図である。
【考案を実施するための形態】
【００１１】
以下において、本考案の実施形態の構造及び効果を説明するが、本考案の範囲を限定するものではない。
【００１２】
（一実施形態）
図１〜図３に示すように、本考案の一実施形態によるトレーニングガードルは、ガードル本体１０、二つの前束帯２０、二つの後束帯３０、第一左帯体４０、第二左帯体５０、第一右帯体６０及び第二右帯体７０を備える。
【００１３】
ガードル本体１０は、綿繊維、その他の繊維、又は複数の繊維により織られた織布であり、拘束力を有する必要がないが、微小な拘束力を有することが好ましい。これにより皮膚表面に密接することができる。ガードル本体１０は、腰部１１、腰部１１に接続されている寛骨部１２、ならびに、寛骨部１２の腰部１１とは反対側に接続されている左腿部１３および右腿部１４を有する。ここで、寛骨部１２の腰部１１側を上側とし、寛骨部１２の左腿部１３および右腿部１４側を下側とする。また、図１の右側（または図２の左側）を左側とし、図１の左側（または図２の右側）を右側とする。左腿部１３および右腿部１４は、寛骨部１２から下側に延伸している。腰部１１は上縁１１１を有する。左腿部１３および右腿部１４はそれぞれ底縁１３１、１４１を有する。ガードル本体１０は、前面１０１及び後面１０２を有する。前面１０１と後面１０２とは、ガードル本体１０の左端および右端で接続されている。
【００１４】
図１に示すように、二つの前束帯２０は、ガードル本体１０の前面１０１に設けられており、拘束力を有する。二つの前束帯２０は、腰部１１の上縁１１１の中央と左端との間の第一位置１１２、および、腰部１１の上縁１１１の中央と右端との間の第二位置１１３から、左腿部１３の底縁１３１の中央に位置する第三位置１３２、および、右腿部１４の底縁１４１の中央に位置する第四位置１４２まで延設されている。即ち、左側に位置する前束帯２０は第一位置１１２と第三位置１３２との間に延設されており、右側に位置する前束帯２０は第二位置１１３と第四位置１４２との間に延設されている。これにより、延設方向は人体の大腿四頭筋とほぼ平行する。
【００１５】
図２に示すように、二つの後束帯３０は、ガードル本体１０の後面１０２に設けられており、拘束力を有する。二つの後束帯３０は、腰部１１の上縁１１１の中央と左端との間の第五位置１１４、および、腰部１１の上縁１１１の中央と右端との間の第六位置１１５から、左腿部１３の底縁１３１の中央に位置する第七位置１３３、および、右腿部１４の底縁１４１の中央に位置する第八位置１４３まで延設されている。即ち、左側に位置する後束帯３０は第五位置１１４と第七位置１３３との間に延設されており、右側の後束帯３０は第六位置１１５と第八位置１４３との間に延設されている。このように後束帯３０の延設方向は人体の大腿二頭筋とほぼ平行する。
【００１６】
以下、図１から図３を参照する。第一左束帯４０は、腰部１１の左端から、ガードル本体１０の前面１０１、寛骨部１２の右端、および、ガードル本体１０の後面１０２の順で右腿部１４の内側まで延設されている。
【００１７】
第二左束帯５０は、腰部１１の左端から、ガードル本体１０の後面１０２、寛骨部１２の右端、および、ガードル本体１０の前面１０１の順で右腿部１４の内側まで延設されている。
【００１８】
第一右束帯６０は、腰部１１の右端から、ガードル本体１０の前面１０１、寛骨部１２の左端、および、ガードル本体１０の後面１０２の順で左腿部１３の内側まで延設されている。
【００１９】
第二右束帯７０は、腰部１１の右端から、ガードル本体１０の後面１０２、寛骨部１２の左端、および、ガードル本体１０の前面１０１の順で左腿部１３の内側まで延設されている。
【００２０】
前束帯２０、後束帯３０、第一左束帯４０、第二左束帯５０、第一右束帯６０、および第二右束帯７０はいずれも拘束力を有する。また、各前束帯２０および後束帯３０の拘束力は、第一左束帯４０、第二左束帯５０、第一右束帯６０、および第二右束帯７０が提供する拘束力よりも大きい。拘束力の差異は異なるデニール係数の弾性繊維帯を使用することにより達成できる。又、拘束力の差異は、同一のデニール係数を有する弾性繊維帯を異なる長さにすることよって実現することができる。例えば、着用者が着用したときの張力が最大張力の８０％となるよう、前束帯２０および後束帯３０を展開する。また、着用者が着用したときの張力が最大張力の７０％となるよう、第一左束帯４０、第二左束帯５０、第一右束帯６０、および第二右束帯７０を展開する。このように、その弾性繊維帯のデニール係数が同じであっても、異なる長さにすることにより着用時の所定張力を調整することができ、前束帯２０および後束帯３０の拘束力を調整することができる。更に、前束帯２０、後束帯３０及びその他の束帯の拘束力は、ガードル本体１０の拘束力を大きく上回るのが好ましい。
【００２１】
図４に示すように、着用者が本実施形態のトレーニングガードルを着用したとき、前束帯２０、後束帯３０はその他の束帯の配置により着用者の大腿四頭筋及び大腿二頭筋を増強するトレーニングをし、臀部、太ももの筋肉群に良好なトレーニング効果を与えることができ、従来のガードルがスポーツに適していないという状況を改善し、着用者の多くのニーズを満足することができる。
【００２２】
上記の説明は、単に本考案の実施形態であり、実際において、本考案のトレーニングガードルは、一部の構造上の変更（例えば、ガードル本体及び束帯の長さの調整、又は、ガードル本体と各束帯との繋ぎ合わせによるガードルの作成）も含む。このように、本考案の本質を逸脱しない簡単な構造の改良又は変更は本考案の実用新案登録請求の範囲に含まれる。
【符号の説明】
【００２３】
１０・・・ガードル本体、
１０１・・・前面、
１０２・・・後面、
１１・・・腰部、
１１１・・・上縁、
１１２・・・第一位置、
１１３・・・第二位置、
１１４・・・第五位置、
１１５・・・第六位置、
１２・・・寛骨部、
１３・・・左腿部、
１３１・・・底縁、
１３２・・・第三位置
１３３・・・第七位置、
１４・・・右腿部、
１４１・・・底縁、
１４２・・・第四位置
１４３・・・第八位置、
２０・・・前束帯、
３０・・・後束帯、
４０・・・第一左束帯、
５０・・・第二左束帯、
６０・・・第一右束帯、
７０・・・第二右束帯。  
【図１】
0003186056.tif 000003
【図２】
0003186056.tif 000004
【図３】
0003186056.tif 000005
【図４】
0003186056.tif 000006